(57)【要約】【課題】入札の参加者を個人情報に基づいて制限することができるようにする。【解決手段】オークションサーバ２０は、参加希望者の住所を含む申込情報を参加希望者端末１０から受信し、管理者端末１０は、参加希望者についての住基情報取得要求をゲートウェイ装置４０に送信する。ゲートウェイ装置４０は、申込情報に含まれる住所に応じて、参加希望者についての住基情報を管理する自治体に所属する自治体端末４１を特定し、特定した自治体端末４１にリクエストを送信する。ゲートウェイ装置４０は、自治体端末４１から住基情報を受信して管理者端末１０に送信する。管理者端末は、受信した住基情報に基づいて、参加希望者に入札への参加資格があるかどうかを判断する。【選択図】図１
2008181270.tif 000002
【特許請求の範囲】
【請求項１】
入札による財産の売却を支援するシステムであって、
自治体ごとに設けられて該当する自治体の住民の個人情報を管理する住基システムに接続され、
前記入札への参加を希望する参加希望者の住所を含む、前記参加希望者を特定する希望者特定情報の入力を受け付ける希望者入力受付部と、
前記希望者特定情報に含まれる前記住所に応じて、前記参加希望者についての前記個人情報を管理する前記住基システムを特定する管理先特定部と、
前記希望者特定情報を設定した、前記参加希望者についての前記個人情報を取得するための個人情報取得要求を、前記特定した住基システムに送信する個人情報取得要求送信部と、
前記個人情報取得要求に応じて前記住基システムから送信される前記個人情報を受信する個人情報受信部と、
前記受信した個人情報に基づいて、前記参加希望者に前記入札への参加資格があるかどうかを判断する参加可否判断部と、
を備えることを特徴とする財産売却支援システム。
【請求項２】
請求項１に記載の財産売却支援システムであって、
前記個人情報には、前記自治体が発行する身分証明書の記載内容が記述された身分証明情報が含まれており、
前記参加可否判断部は、前記個人情報に含まれる前記身分証明情報に、前記参加希望者が破産者または制限行為能力者である旨の記述がないかどうかにより、前記入札への参加資格を判断すること、
を特徴とする財産売却支援システム。
【請求項３】
請求項１に記載の財産売却支援システムであって、
前記住基システムから受信した前記個人情報を表示する個人情報表示部と、
前記参加希望者に前記参加資格があるかどうかを示す資格情報の入力を受け付ける資格情報入力部と、を備え、
前記参加可否判断部は、前記入力された資格情報により、前記参加希望者に前記参加資格があるかどうかを判断すること、
を特徴とする財産売却支援システム。
【請求項４】
入札による財産の売却を支援するシステムであって、
自治体ごとに設けられて該当する自治体の住民の個人情報を管理する住基システムに接続され、
前記入札への参加を希望する参加希望者の住所を含む、前記参加希望者を特定する希望者特定情報の入力を受け付ける希望者入力受付部と、
前記希望者特定情報に含まれる前記住所に応じて、前記参加希望者についての前記個人情報を管理する前記住基システムを特定する管理先特定部と、
前記希望者特定情報を設定した、前記参加希望者に前記財産の前記入札への参加資格があるかどうかを問い合わせる参加資格問合わせ要求を、前記特定した住基システムに送信する参加資格問合わせ要求送信部と、
前記参加資格問合わせ要求に応じて前記住基システムから送信される、前記参加希望者に前記参加資格があるかどうかを示す資格情報を受信する資格情報受信部と、
前記受信した資格情報に応じて、前記参加希望者に前記参加資格があるかどうかを判断する参加可否判断部と、
を備えることを特徴とする財産売却支援システム。
【請求項５】
請求項１乃至４の何れか１つに記載の財産売却支援システムであって、
前記入札に参加できない者を示すエントリ情報を記憶するブラックリストデータベースにアクセス可能であり、
前記希望者特定情報により特定される前記参加希望者を示す前記エントリ情報が前記ブラックリストデータベースに登録されているかどうかを判断するブラックリスト登録判断部を備え、
前記参加可否判断部は、前記参加希望者を示す前記エントリ情報が前記ブラックリストデータベースに登録されている場合、前記参加希望者に前記入札への前記参加資格がないと判断すること、
を特徴とする財産売却支援システム。
【請求項６】
請求項５に記載の財産売却支援システムであって、
前記希望者特定情報を一覧表示する希望者一覧表示部と、
前記入札に参加できないようにすべき前記参加希望者を示す前記エントリ情報の入力を受け付け、前記受け付けたエントリ情報を前記ブラックリストデータベースに登録するブラックリスト登録部と、
を備えることを特徴とする財産売却支援システム。
【請求項７】
入札による財産の売却を支援するシステムであって、
自治体ごとに設けられて該当する自治体の住民の個人情報を管理する住基システムと、前記住基システムのそれぞれに接続される管理者端末とを含んで構成され、
前記管理者端末は、
前記入札への参加を希望する参加希望者の住所を含む、前記参加希望者を特定する希望者特定情報の入力を受け付ける希望者入力受付部と、
前記希望者特定情報に含まれる前記住所に応じて、前記参加希望者についての前記個人情報を管理する前記住基システムを特定する管理先特定部と、
前記希望者特定情報を設定した、前記参加希望者についての前記個人情報を取得するための個人情報取得要求を、前記特定した住基システムに送信する個人情報取得要求送信部と、
を備え、
前記住基システムは、
前記個人情報取得要求を受信する個人情報取得要求受信部と、
前記個人情報取得要求に含まれる前記希望者特定情報により特定される前記参加希望者についての前記個人情報を前記管理者端末に送信する個人情報送信部と、
を備え、
前記管理者端末は、
前記個人情報取得要求に応じて前記住基システムから送信される前記個人情報を受信する個人情報受信部と、
前記受信した個人情報に基づいて、前記参加希望者に前記入札への参加資格があるかどうかを判断する参加可否判断部と、
を備えること、
を特徴とする財産売却支援システム。
【請求項８】
請求項７に記載の財産売却支援システムであって、
前記管理者端末は、
前記住基システムから受信した前記個人情報を表示する個人情報表示部と、
前記参加希望者に前記参加資格があるかどうかを示す資格情報の入力を受け付ける資格情報入力部と、を備え、
前記管理者端末が備える前記参加可否判断部は、前記入力された資格情報により、前記参加希望者に前記参加資格があるかどうかを判断すること、
を特徴とする財産売却支援システム。
【請求項９】
入札による財産の売却を支援するシステムであって、
自治体ごとに設けられて該当する自治体の住民の個人情報を管理する住基システムと、前記住基システムのそれぞれに接続される管理者端末とを含んで構成され、
前記管理者端末は、
前記入札への参加を希望する参加希望者の住所を含む、前記参加希望者を特定する希望者特定情報の入力を受け付ける希望者入力受付部と、
前記希望者特定情報に含まれる前記住所に応じて、前記参加希望者についての前記個人情報を管理する前記住基システムを特定する管理先特定部と、
前記希望者特定情報を設定した、前記参加希望者に前記財産の前記入札への参加資格があるかどうかを問い合わせる参加資格問合わせ要求を、前記特定した住基システムに送信する参加資格問合わせ要求送信部と、
を備え、
前記住基システムは、
前記参加資格問合わせ要求を受信する参加資格問合わせ要求受信部と、
前記参加資格問合わせ要求に含まれる前記希望者特定情報により特定される前記参加希望者についての前記個人情報を取得する個人情報取得部と、
前記取得した個人情報を出力する個人情報出力部と、
前記希望者特定情報により特定される前記参加希望者に前記参加資格があるかどうかを示す資格情報の入力を受け付ける資格情報入力部と、
前記受け付けた資格情報を前記管理者端末に送信する資格情報送信部と、
を備え、
前記管理者端末は、
前記参加資格問合わせ要求に応じて前記住基システムから送信される、前記資格情報を受信する資格情報受信部と、
前記受信した資格情報に応じて、前記参加希望者に前記参加資格があるかどうかを判断する参加可否判断部と、
を備えることを特徴とする財産売却支援システム。
【請求項１０】
入札による財産の売却を支援する方法であって、
自治体ごとに設けられて該当する自治体の住民の個人情報を管理する住基システムに接続されるコンピュータが、前記入札への参加を希望する参加希望者の住所を含む、前記参加希望者を特定する希望者特定情報の入力を受け付けるステップと、
前記コンピュータが、前記希望者特定情報に含まれる前記住所に応じて、前記参加希望者についての前記個人情報を管理する前記住基システムを特定するステップと、
前記コンピュータが、前記希望者特定情報を設定した、前記参加希望者についての前記個人情報を取得するための個人情報取得要求を、前記特定した住基システムに送信するステップと、
前記コンピュータが、前記個人情報取得要求に応じて前記住基システムから送信される前記個人情報を受信するステップと、
前記コンピュータが、前記受信した個人情報に基づいて、前記参加希望者に前記入札への参加資格があるかどうかを判断するステップと、
を含むことを特徴とする財産売却支援方法。
【請求項１１】
入札による財産の売却を支援するプログラムであって、
自治体ごとに設けられて該当する自治体の住民の個人情報を管理する住基システムに接続されるコンピュータに、
前記入札への参加を希望する参加希望者の住所を含む、前記参加希望者を特定する希望者特定情報の入力を受け付けるステップと、
前記希望者特定情報に含まれる前記住所に応じて、前記参加希望者についての前記個人情報を管理する前記住基システムを特定するステップと、
前記希望者特定情報を設定した、前記参加希望者についての前記個人情報を取得するための個人情報取得要求を、前記特定した住基システムに送信するステップと、
前記個人情報取得要求に応じて前記住基システムから送信される前記個人情報を受信するステップと、
前記受信した個人情報に基づいて、前記参加希望者に前記入札への参加資格があるかどうかを判断するステップと、
を実行させるためのプログラム。
【発明の詳細な説明】
【技術分野】
【０００１】
本発明は、財産売却支援システム、財産売却支援方法およびプログラムに関する。
【背景技術】
【０００２】
インターネットを利用したオークションが盛んに行われている。オークションで取り扱われる財産も多岐に渡るようになってきており、例えば特許文献１には、不動産の公売に関わる各種の手続をコンピュータにより行う公売管理システムが開示されている。
【特許文献１】特開２００６−２６８８４１号公報
【発明の開示】
【発明が解決しようとする課題】
【０００３】
このような入札形式の財産の売却にあたって、例えば、契約の締結能力を有していない場合や、破産者で復権を得ていない者などを参加させないなど、入札に参加する希望者を制限することが求められている。
【０００４】
本発明は、このような背景を鑑みてなされたものであり、入札の参加者を個人情報に基づいて制限することのできる財産売却支援システム、財産売却支援方法およびプログラムを提供することを目的とする。
【課題を解決するための手段】
【０００５】
上記課題を解決するための本発明のうち、請求項１に記載の発明は、入札による財産の売却を支援するシステムであって、自治体ごとに設けられて該当する自治体の住民の個人情報を管理する住基システムに接続され、前記入札への参加を希望する参加希望者の住所を含む、前記参加希望者を特定する希望者特定情報の入力を受け付ける希望者入力受付部と、前記希望者特定情報に含まれる前記住所に応じて、前記参加希望者についての前記個人情報を管理する前記住基システムを特定する管理先特定部と、前記希望者特定情報を設定した、前記参加希望者についての前記個人情報を取得するための個人情報取得要求を、前記特定した住基システムに送信する個人情報取得要求送信部と、前記個人情報取得要求に応じて前記住基システムから送信される前記個人情報を受信する個人情報受信部と、前記受信した個人情報に基づいて、前記参加希望者に前記入札への参加資格があるかどうかを判断する参加可否判断部と、を備えることとする。
【０００６】
本発明の財産売却支援システムによれば、自治体の住基システムに管理される個人情報に基づいて、参加希望者に、入札への参加資格があるかどうかを判断することができる。したがって、例えば入札への参加者の資格が法令により厳格に定められている場合でも、自治体の住基システムにより管理される個人情報に基づいて、正確にその参加資格を判定することができる。
【０００７】
また、本発明のうち、請求項２に記載の発明は、請求項１に記載の財産売却支援システムであって、前記個人情報には、前記自治体が発行する身分証明書の記載内容が記述された身分証明情報が含まれており、前記参加可否判断部は、前記個人情報に含まれる前記身分証明情報に、前記参加希望者が破産者または制限行為能力者である旨の記述がないかどうかにより、前記入札への参加資格を判断することとする。
【０００８】
また、本発明のうち、請求項３に記載の発明は、請求項１に記載の財産売却支援システムであって、前記住基システムから受信した前記個人情報を表示する個人情報表示部と、前記参加希望者に前記参加資格があるかどうかを示す資格情報の入力を受け付ける資格情報入力部と、を備え、前記参加可否判断部は、前記入力された資格情報により、前記参加希望者に前記参加資格があるかどうかを判断することとする。
【０００９】
また、本発明のうち、請求項４に記載の発明は、入札による財産の売却を支援するシステムであって、自治体ごとに設けられて該当する自治体の住民の個人情報を管理する住基システムに接続され、前記入札への参加を希望する参加希望者の住所を含む、前記参加希望者を特定する希望者特定情報の入力を受け付ける希望者入力受付部と、前記希望者特定情報に含まれる前記住所に応じて、前記参加希望者についての前記個人情報を管理する前記住基システムを特定する管理先特定部と、前記希望者特定情報を設定した、前記参加希望者に前記財産の前記入札への参加資格があるかどうかを問い合わせる参加資格問合わせ要求を、前記特定した住基システムに送信する参加資格問合わせ要求送信部と、前記参加資格問合わせ要求に応じて前記住基システムから送信される、前記参加希望者に前記参加資格があるかどうかを示す資格情報を受信する資格情報受信部と、前記受信した資格情報に応じて、前記参加希望者に前記参加資格があるかどうかを判断する参加可否判断部と、を備えることとする。
【００１０】
この場合、参加希望者の個人情報は、管理者端末側に送信される、自治体でのみ参照されて、参加資格が判断される。このように参加希望者の個人情報が閲覧される範囲を制限することで、参加希望者のプライバシーを尊重することが可能となる。
【００１１】
また、本発明のうち、請求項５に記載の発明は、請求項１乃至４の何れか１つに記載の財産売却支援システムであって、前記入札に参加できない者を示すエントリ情報を記憶するブラックリストデータベースにアクセス可能であり、前記希望者特定情報により特定される前記参加希望者を示す前記エントリ情報が前記ブラックリストデータベースに登録されているかどうかを判断するブラックリスト登録判断部を備え、前記参加可否判断部は、前記参加希望者を示す前記エントリ情報が前記ブラックリストデータベースに登録されている場合、前記参加希望者に前記入札への前記参加資格がないと判断することとする。
【００１２】
また、本発明のうち、請求項６に記載の発明は、請求項５に記載の財産売却支援システムであって、前記希望者特定情報を一覧表示する希望者一覧表示部と、前記入札に参加できないようにすべき前記参加希望者を示す前記エントリ情報の入力を受け付け、前記受け付けたエントリ情報を前記ブラックリストデータベースに登録するブラックリスト登録部と、を備えることとする。
【００１３】
その他本願が開示する課題やその解決方法については、発明の実施形態の欄及び図面により明らかにされる。
【発明の効果】
【００１４】
本発明によれば、入札の参加者を個人情報に基づいて制限することができる。
【発明を実施するための最良の形態】
【００１５】
以下、本発明の一実施形態である公有財産売却システムについて説明する。本実施形態の公有財産売却システムは、官公庁が保有する公有財産を入札方式で売却するためのものである。公有財産売却に係る入札では、地方自治法施行例第１６７条の４において、その参加者が制限されている。本実施形態の公有財産売却システムは、入札への参加希望者が、契約を締結する能力を有しない制限行為能力者であるかどうか、あるいは参加希望者が破産者であるかどうかを、自治体が管理する住宅基本台帳などの個人情報（以下、住基情報という。）に基づいて判断し、その結果に基づいて、参加希望者の入札への参加可否を判断する。また、本実施形態の公有財産売却システムでは、参加希望者がブラックリストに登録されているかどうかによっても、その参加希望者の入札への参加可否を判断する。
【００１６】
＝＝システム構成＝＝
図１は、本実施形態に係る公有財産売却システムの全体構成を示す図である。同図に示すように、本実施形態の公有財産売却システムは、参加希望者端末１０、オークションサーバ２０、管理者端末３０、ゲートウェイ装置４０、自治体端末４１を含んで構成されている。
【００１７】
参加希望者端末１０はインターネット５１を介してオークションサーバ２０と接続されており、オークションサーバ２０と管理者端末３０とはＬＡＮ（Local Area Network）を介して接続されている。管理者端末３０とゲートウェイ装置４０とは、専用回線５３を介して接続されており、ゲートウェイ装置４０と自治体端末４１とはＬＧＷＡＮ（Local Government Wide Area Network）５４により接続されている。
【００１８】
オークションサーバ２０は、公有財産の入札（オークション）を行う、例えば、ワークステーションやパーソナルコンピュータなどのコンピュータである。オークションサーバ２０は、Ｗｅｂサーバとしての機能を有しており、Ｗｅｂアプリケーションとして入札サービスを提供する。
【００１９】
参加希望者端末１０は、入札に参加を希望する利用者（以下、参加希望者という。）が操作する、例えばパーソナルコンピュータや携帯電話端末などのコンピュータである。入札の参加希望者は、自身の氏名や住所、生年月日、性別およびメールアドレスなどを含む申込情報を参加希望者端末１０に入力し、参加希望者端末１０は、入力された申込情報をオークションサーバ２０に送信する。
【００２０】
自治体端末４１は、各地方自治体において利用されるコンピュータである。自治体端末４１は、自治体が発行する住民の身分証明書の記載内容を含む身分証明情報や、住民の戸籍情報などの情報（以下、住基情報という。）が格納される住基情報データベース４２に接続されており、ＬＧＷＡＮ５４経由のリクエストに対して住基情報を応答する。
【００２１】
ゲートウェイ装置４０は、自治体端末４１と管理者端末３０との間のデータを転送するコンピュータである。ゲートウェイ装置４０は、例えば、管理者端末３０からのリクエストを、ＬＧＷＡＮ５４を介した自治体端末４１へのリクエストに変換する処理を行う。
【００２２】
管理者端末３０は、入札サービスの運営者が操作するコンピュータである。管理者端末３０は、オークションサーバ２０に登録された参加希望者について、ＬＧＷＡＮ５４を介して自治体端末４１から住基情報を取得して、住基情報に基づき参加希望者に参加資格があるかどうかを判断する。
【００２３】
＝＝オークションサーバ２０＝＝
図２は、オークションサーバ２０のハードウェア構成を示す図である。同図に示すように、オークションサーバ２０は、ＣＰＵ２０１、メモリ２０２、記憶装置２０３、通信インタフェース２０４および２０５を備えている。記憶装置２０３は、各種のプログラムやデータを記憶する、例えば、ハードディスクドライブやＣＤ−ＲＯＭドライブ、フラッシュメモリなどである。ＣＰＵ２０１は、記憶装置２０３に記憶されているプログラムをメモリ２０２に読み出して実行することにより各種の機能を実現する。通信インタフェース２０４は、インターネット５１に接続するためのインタフェースであり、通信インタフェース２０５は、ＬＡＮ５２に接続するためのインタフェースである。通信インタフェース２０４および２０５は、例えば、イーサネット（登録商標）に接続するためのアダプタや公衆電話回線網に接続するためのモデムなどである。
【００２４】
図３は、オークションサーバ２０のソフトウェア構成を示す図である。同図に示すように、オークションサーバ２０は、参加希望者情報受信部２１１、参加希望者取得要求受信部２１２、参加希望者情報送信部２１３、参加資格情報受信部２１４、ブラックリスト登録要求受信部２１５、入札情報受信部２１６、入札処理部２１７、認証処理部２１８、参加希望者情報データベース２５１、出品情報データベース２５２、ブラックリストデータベース２５３を備えている。
【００２５】
出品情報データベース２５２は、入札に出品される財産に関する情報（以下、出品情報という。）を記憶する。出品情報には、例えば、出品される財産の名称や画像データ、落札の最低価格など、入札により売却をするために必要な情報が含まれているものとする。
【００２６】
参加希望者情報データベース２５１は、参加希望者に関する情報（以下、参加希望者情報という。）を記憶する。参加希望者情報データベース２５１に登録される参加希望者情報の構成例を図４に示す。同図に示すように、参加希望者情報には、申込日、申込者ＩＤ、住所、氏名、生年月日、性別、メールアドレス、参加資格、確認フラグが含まれている。申込者ＩＤは、申込を行った利用者を示す識別情報である。住所、氏名、生年月日、性別およびメールアドレスは、入札への参加を希望する参加希望者についての申込情報である。参加資格は、申込情報が示す参加希望者に入札への参加資格があるかどうかを示す。本実施形態において参加資格は「あり」または「なし」である。確認フラグは、管理者が参加希望者の参加資格の確認を行ったことを示す。本実施形態において確認フラグは「真」または「偽」である。
【００２７】
参加希望者情報受信部２１１は、参加希望者端末１０から送信される申込情報を受信し、受信した申込情報と、「偽」の確認フラグとを設定した参加希望者情報を生成し、生成した参加希望者情報を参加希望者情報データベース２５１に登録する。
【００２８】
参加希望者取得要求受信部２１２は、後述の管理者端末３０から送信される、参加希望者情報を取得するためのコマンド（以下、参加希望者取得要求という。）を受信する。
【００２９】
参加希望者情報送信部２１３は、参加希望者取得要求に応じて、参加希望者情報データベース２５１に登録されている参加希望者情報を読み出して管理者端末３０に送信する。なお、参加希望者取得要求に氏名や住所などの条件が設定されている場合には、参加希望者情報送信部２１３は、その条件にマッチする参加希望者情報のみを送信するようにする。
【００３０】
参加資格情報受信部２１４は、管理者端末３０から送信される、参加希望者に参加資格があるかどうかを示す情報（以下、参加資格情報という。）を受信する。参加資格情報には、参加希望者の氏名、住所、生年月日および性別（以下、これらをまとめて利用者特定情報という。）と、「あり」または「なし」が含まれる。参加資格情報受信部２１４は、受信した参加資格情報に応じて、参加資格情報に含まれる利用者特定情報に対応する参加希望者情報の参加資格を更新するとともに、確認フラグに「真」を設定する。
【００３１】
ブラックリストデータベース２５３は、入札に参加できない者を特定する利用者特定情報を記憶する。ブラックリストデータベース２５３の構成例を図５に示す。後述するように、ブラックリストデータベース２５３に登録されている者は、入札に参加することができないと判断される。
【００３２】
ブラックリスト登録要求受信部２１５は、管理者端末３０から送信される、ブラックリストに利用者を登録するように指示するコマンド（以下、ブラックリスト登録要求という。）を受信する。ブラックリスト登録要求には利用者特定情報が含まれており、ブラックリスト登録要求受信部２１５は、ブラックリスト登録要求に含まれている利用者特定情報をブラックリストデータベース２５３に登録する。
【００３３】
入札情報受信部２１６は、参加希望者端末１０から送信される、入札に必要な情報（以下、入札情報という。）を受信する。入札情報には、少なくとも利用者特定情報と、入札金額とが含まれる。
【００３４】
認証処理部２１８は、入札を行った参加希望者に参加資格があるかどうかの判定を行う。具体的には、認証処理部２１８は、入札を行った参加希望者のそれぞれについて、参加希望者を示す利用者特定情報がブラックリストデータベース２５３に登録されているかどうかを判断し、ブラックリストデータベース２５３に登録されていれば参加資格がないと判断する。一方、上記の利用者特定情報がブラックリストデータベース２５３に登録されていない場合には、認証処理部２１８は、その利用者特定情報に対応する参加希望者情報を参加希望者情報データベース２５１から読み出し、読み出した参加希望者情報に含まれている参加資格が「あり」に設定されており、かつ確認フラグが「真」である場合にのみ、参加資格があると判断し、それ以外の場合には参加資格がないと判断する。
【００３５】
入札処理部２１７は、参加資格があると判定された参加希望者からの入札情報のみを用いて落札者の選出処理を行う。なお、入札処理部２１７が行う落札者の選出処理は、一般的なオークションにおいて実施されている方法により行われる。例えば、入札処理部２１７は、最も高い金額を入札した参加希望者を落札者として選出する。
【００３６】
なお、上述した参加希望者情報受信部２１１、参加希望者取得要求受信部２１２、参加希望者情報送信部２１３、参加資格情報受信部２１４、ブラックリスト登録要求受信部２１５、入札情報受信部２１６、入札処理部２１７および認証処理部２１８は、オークションサーバ２０が備えるＣＰＵ２０１が記憶装置２０３に記憶されているプログラムを実行することにより実現される。また、上述した参加希望者情報データベース２５１、出品情報データベース２５２およびブラックリストデータベース２５３は、メモリ２０２や記憶装置２０３が提供する記憶領域として実現される。
【００３７】
＝＝ゲートウェイ装置４０＝＝
図６は、ゲートウェイ装置４０のハードウェア構成を示す図である。同図に示すように、ゲートウェイ装置４０は、ＣＰＵ４０１、メモリ４０２、記憶装置４０３、通信インタフェース４０４および４０５を備えている。記憶装置４０３は、各種のプログラムやデータを記憶する、例えばハードディスクドライブやＣＤ−ＲＯＭドライブ、フラッシュメモリなどである。ＣＰＵ４０１は、記憶装置４０３に記憶されているプログラムをメモリ４０２に読み出して実行することにより各種の機能を実現する。通信インタフェース４０４は、専用回線５３に接続するためのインタフェースであり、例えばモデムなどである。通信インタフェース４０５は、ＬＧＷＡＮ５４に接続するためのインタフェースであり、例えばイーサネット（登録商標）に接続するためのアダプタや、専用電話回線に接続するためのモデムなどである。
【００３８】
図７は、ゲートウェイ装置４０のソフトウェア構成を示す図である。同図に示すように、ゲートウェイ装置４０は、住基情報取得要求受信部４１１、リクエスト送信部４１２、住基情報受信部４１３、住基情報変換部４１４、住基情報送信部４１５を備えている。
【００３９】
住基情報取得要求受信部４１１は、管理者端末３０から送信される住基情報を取得するためのコマンド（以下、住基情報取得要求という。）を受信する。住基情報取得要求には、利用者特定情報が含まれる。
【００４０】
リクエスト送信部４１２は、住基情報取得要求の受信に応じて、住基情報取得要求に含まれる利用者特定情報に含まれる住所に対応する自治体端末４１に対して、ＬＧＷＡＮ５４における住基情報のリクエストを送信する。
【００４１】
住基情報受信部４１３は、リクエストに応じて自治体端末４１から送信される住基情報を受信し、住基情報変換部４１４は、受信した住基情報を、管理者端末３０に送信するための書式に変換する。本実施形態では、自治体端末４１から送信される住基情報は、住基情報データベース４２に登録されている表形式のレコードであるものとし、住基情報変換部４１４は、表形式のレコードに基づいて、ＸＭＬ（eXtensible Markup Language）形式の住基情報に変換するものとする。住基情報送信部４１５は、ＸＭＬ形式に変換された住基情報を管理者端末３０に送信する。
【００４２】
なお、上述した住基情報取得要求受信部４１１、リクエスト送信部４１２、住基情報受信部４１３、住基情報変換部４１４および住基情報送信部４１５は、ゲートウェイ装置４０が備えるＣＰＵ４０１が記憶装置４０３に記憶されているプログラムをメモリ４０２に読み出して実行することにより実現される。
【００４３】
＝＝管理者端末３０＝＝
図８は、管理者端末３０のハードウェア構成を示す図である。同図に示すように、管理者端末３０は、ＣＰＵ３０１、メモリ３０２、記憶装置３０３、通信インタフェース３０４および３０５、入力装置３０６、出力装置３０７を備えている。記憶装置３０３は、各種のプログラムやデータを記憶する、例えばハードディスクドライブやＣＤ−ＲＯＭドライブ、フラッシュメモリなどである。ＣＰＵ３０１は、記憶装置３０３に記憶されているプログラムをメモリ３０２に読み出して実行することにより各種の機能を実現する。通信インタフェース３０４は、ＬＡＮ５２に接続するためのインタフェースであり、例えば、イーサネット（登録商標）に接続するためのアダプタや、無線通信回線に接続するための通信装置などである。通信インタフェース３０５は、専用回線５３に接続するためのインタフェースであり、例えばモデムなどである。入力装置３０６は、データの入力を受け付ける、例えばキーボードやマウス、タッチパネルなどである。出力装置３０７は、データを出力する、例えばディスプレイやプリンタなどである。
【００４４】
図９は、管理者端末３０のソフトウェア構成を示す図である。同図に示すように、管理者端末３０は、参加希望者取得要求送信部３１１、参加希望者情報受信部３１２、参加希望者情報表示部３１３、参加希望者指定部３１４、住基情報取得要求送信部３１５、住基情報受信部３１６、参加資格判定部３１７、参加資格情報送信部３１８、ブラックリスト指定部３１９、ブラックリスト登録要求送信部３２０を備えている。
【００４５】
参加希望者取得要求送信部３１１は、参加希望者取得要求をオークションサーバ２０に送信し、参加希望者情報受信部３１２は、参加希望者取得要求に応じてオークションサーバ２０から送信される参加希望者情報を受信する。参加希望者情報表示部３１３は、受信した参加希望者情報を出力装置３０７に出力する。
【００４６】
参加希望者指定部３１４は、参加資格の判定対象となる参加希望者の指定を受け付ける。具体的には、参加希望者指定部３１４は、参加希望者情報表示部３１３が一覧表示した参加希望者情報のうち、確認フラグが「偽」に設定されているものの指定を受け付け、指定された参加希望者情報に含まれている利用者特定情報を受け付ける。なお、参加希望者指定部３１４は、キーボードなどから利用者特定情報の入力を受け付けるようにしてもよい。
【００４７】
住基情報取得要求送信部３１５は、指定された参加希望者を示す利用者特定情報を設定した住基情報取得要求をゲートウェイ装置４０に送信する。  
住基情報受信部３１６は、住基情報取得要求に応じてゲートウェイ装置４０から送信される住基情報を受信する。  
参加資格判定部３１７は、ゲートウェイ装置４０から受信した住基情報に基づいて、参加希望者に参加資格があるかどうかを判定する。なお、参加資格の判定処理の詳細については後述する。参加資格情報送信部３１８は、参加資格判定部３１７による判定結果と利用者特定情報とを含む参加資格情報をオークションサーバ２０に送信する。
【００４８】
ブラックリスト指定部３１９は、ブラックリストに登録すべき利用者を特定する利用者特定情報の入力を受け付ける。ブラックリスト登録要求送信部３２０は、ブラックリスト指定部３１９が受け付けた利用者特定情報を含むブラックリスト登録要求をオークションサーバ２０に送信する。
【００４９】
なお、上述した参加希望者取得要求送信部３１１、参加希望者情報受信部３１２、参加希望者情報表示部３１３、参加希望者指定部３１４、住基情報取得要求送信部３１５、住基情報受信部３１６、参加資格判定部３１７、参加資格情報送信部３１８、ブラックリスト指定部３１９およびブラックリスト登録要求送信部３２０は、管理者端末３０が備えるＣＰＵ３０１が記憶装置３０３に記憶されているプログラムをメモリ３０２に読み出して実行することにより実現される。
【００５０】
＝＝処理＝＝
次に、本実施形態の公有財産売却システムにおける公有財産の売却処理について説明する。
【００５１】
公有財産売却システムは、まず参加希望者からの申込情報を受け付ける処理を行う。申込情報の受付処理の流れを図１０に示す。  
参加希望者端末１０は、入札への参加を希望する参加希望者から申込情報の入力を受け付ける（Ｓ６０１）。申込情報の入力を受け付ける際に参加希望者端末１０が表示するユーザインタフェースとしての画面７１の一例を図１１に示す。
【００５２】
画面７１には、氏名の入力欄７１１、住所の入力欄７１２、生年月日の入力欄７１３および性別の入力欄７１４が表示される。なお、画面７１は、参加希望者端末１０からのリクエストに応じてオークションサーバ２０が送信する、ＨＴＭＬ（HyperText Markup Language）などにより記述された画面データに基づいて表示される。参加希望者端末１０は、画面７１の入力欄７１１〜７１４から申込情報の各項目の入力を受け付ける。
【００５３】
参加希望者端末１０は、受け付けた申込情報をオークションサーバ２０に送信する（Ｓ６０２）。  
オークションサーバ２０は、参加希望者端末１０から受信した申込情報に含まれている氏名、住所、生年月日および性別に対応する利用者特定情報がブラックリストデータベース２５３に登録されているかどうかを判断し（Ｓ６０３）、対応する利用者特定情報が登録されている場合には（Ｓ６０３：ＹＥＳ）、入札に参加できない旨を示すエラーメッセージを参加希望端末１０に送信する（Ｓ６０４）。
【００５４】
一方、申込情報に対応する利用者特定情報がブラックリストデータベース２５３に登録されていない場合には（Ｓ６０３：ＮＯ）、オークションサーバ２０は、参加希望者端末１０から受信した申込情報と、「偽」の確認フラグとを設定した参加希望者情報を生成し（Ｓ６０５）、生成した参加希望者情報を参加希望者情報データベース２５１に登録する（Ｓ６０６）。
【００５５】
以上のようにして、オークションサーバ２０において、参加希望者情報データベース２５１に、参加希望者についての参加者情報が蓄積される。
【００５６】
一方、管理者は定期的に参加希望者の参加資格についての確認処理を行う。参加資格を確認する処理の流れを図１２に示す。  
管理者端末３０は、管理者の操作に応じて、参加希望者取得要求をオークションサーバ２０に送信する（Ｓ６２１）。オークションサーバ２０は、参加希望者取得要求に応じて、参加希望者情報データベース２５１に登録されている参加希望者情報を読み出し、読み出した参加希望者情報を管理者端末３０に送信する（Ｓ６２２）。  
管理者端末３０は、オークションサーバ２０から受信した参加希望者情報を一覧表示する（Ｓ６２３）。管理者端末３０が参加希望者を一覧表示する画面７２の一例を図１３に示す。
【００５７】
画面７２の表示欄７２１には、参加希望者情報の一覧が表示されている。また、管理者端末３０は、表示欄７２１において、参加希望者情報の確認フラグが「偽」であるものについては、チェックボックス７２２を表示する。管理者は、チェックボックス７２２の一つを選択することにより、参加希望者の指定を行う。
【００５８】
管理者端末３０は、参加希望者の指定を受け付けると（Ｓ６２４）、指定された参加希望者を示す利用者特定情報を設定した住基情報取得要求をゲートウェイ装置４０に送信する（Ｓ６２５）。
【００５９】
ゲートウェイ装置４０は、住基情報取得要求を受信すると、受信した住基情報取得要求に含まれる利用者特定情報に含まれる住所に対応する自治体に所属する自治体端末４１を特定し（Ｓ６２６）、特定した自治体端末４１に対して、利用者特定情報を設定した住基情報のリクエストを送信する（Ｓ６２７）。自治体端末４１は、リクエストに応じて住基情報データベース４２から住基情報のレコードを読み出し、読み出したレコードをゲートウェイ装置４０に送信する（Ｓ６２８）。ゲートウェイ装置４０は、受信したレコードに基づいてＸＭＬ形式の住基情報を生成し（Ｓ６２９）、ＸＭＬ形式の住基情報を管理者端末３０に送信する（Ｓ６３０）。  
管理者端末３０は、住基情報を受信し、受信した住基情報に基づいて参加希望者の参加可否を判断する（Ｓ６３１）。
【００６０】
住基情報に基づく参加可否の判断処理の流れを図１４に示す。  
管理者端末３０は、利用者特定情報に対応する住基情報を受信できなかった場合には（Ｓ６４１：ＮＯ）、確認フラグを「偽」に設定し（Ｓ６４２）、資格情報を「なし」に設定して（Ｓ６４３）、処理を終了する。  
管理者端末３０は、住基情報を受信できた場合（Ｓ６４１：ＹＥＳ）、確認フラグを「真」に設定する（Ｓ６４４）。
【００６１】
管理者端末３０は、利用者特定情報に含まれる生年月日に基づいて、参加希望者が未成年であるかどうかを判定する（Ｓ６４５）。参加希望者が未成年であった場合（Ｓ６４５：ＹＥＳ）、管理者端末３０は、住基情報に含まれている戸籍情報に基づいて、参加希望者に配偶者がいるかどうかを判断し（Ｓ６４６）、配偶者がいなければ（Ｓ６４６：ＮＯ）、（Ｓ６４３）に進み、資格情報を「なし」に設定して処理を終了する。
【００６２】
参加希望者が成年であるか（Ｓ６４５：ＮＯ）、配偶者がいる場合には（Ｓ６４６：ＹＥＳ）、管理者端末３０は、住基情報から身分証明情報を抽出し（Ｓ６４７）、抽出した身分証明情報に基づいて、参加希望者が制限行為能力者（成年被後見人もしくは被保佐人）または破産者であるかどうかを判定する（Ｓ６４８）。管理者端末３０は、参加希望者がその何れかであれば（Ｓ６４８：ＹＥＳ）、参加資格を「なし」とし（Ｓ６４９）、その何れでもない場合には（Ｓ６４８：ＮＯ）、参加資格を「あり」とする（Ｓ６５０）。
【００６３】
以上のようにして管理者端末３０は、住基情報に基づいて確認フラグおよび資格情報を決定する。また、管理者端末３０は、上述した図１３の画面７２において、確認フラグのチェックボックス７２３の表示を更新する。
【００６４】
なお、管理者端末３０は、上述した図１２の処理により、資格情報のみを決定するようにして、決定した資格情報を画面７２に表示し、管理者から確認フラグの入力を受け付けるようにしてもよい。この場合、画面７２のチェックボックス７２２がチェックされた場合に、確認フラグを「真」に設定するようにする。
【００６５】
管理者端末３０は、上記のようにして決定した確認フラグおよび資格情報並びに利用者特定情報を設定した参加資格情報をオークションサーバ２０に送信する（Ｓ６３２）。
【００６６】
オークションサーバ２０は、受信した参加資格情報に含まれている利用者特定情報に対応する、参加希望者情報データベース２５１の参加希望者情報に含まれる確認フラグおよび資格情報を、受信した参加資格情報に含まれている確認フラグおよび資格情報に更新する（Ｓ６３３）。
【００６７】
以上のようにして、参加希望者のそれぞれについて、住基情報に基づいて参加資格が判定される。
【００６８】
なお、上述した図１３の画面７２において、「ブラックリスト登録」のリンク７２３がクリックされると、管理者端末３０は、対応する参加希望者情報に含まれている利用者登録情報を設定したブラックリスト登録要求をオークションサーバ２０に送信し、オークションサーバ２０において、その利用者登録情報がブラックリストデータベース２５３に登録される。
【００６９】
以上説明したように、本実施形態の公有財産売却システムによれば、公有財産の売却に係る入札への参加希望者の住基情報に基づいて、参加希望者に参加資格があるかどうかを判断することができる。したがって、例えば、制限行為能力者や破産者などが入札に参加しないように制限をすることができる。これにより、例えば地方自治法施行例などの法令に準拠して、参加資格を認定することが可能となる。よって、法令を遵守しつつ、コンピュータを利用して複雑な入札手続を簡便かつ高速に行うことができる。
【００７０】
＝＝変形例１：管理者による参加資格の判断＝＝
なお、上述した本実施形態の公有財産売却システムでは、管理者端末３０が住基情報に基づいて参加希望者の参加資格を判断するものとしたが、管理者端末３０は、判断をせずに、住基情報をディスプレイなどの出力装置３０７に出力して、管理者から参加資格の有無の入力を受け付けるようにしてもよい。
【００７１】
この場合、管理者端末３０は、例えば、図１３に示した画面７２において、チェックボックス７２２が選択されたことに応じて、住基情報を取得して画面７２に表示するとともに、参加資格を入力するための「資格あり」ボタンと「資格なし」ボタンとを表示することができる。管理者は、画面７２に表示された住基情報を参照して、参加希望者について、参加資格の有無を判断し、いずれかのボタンを押下することで、参加資格を入力することができる。この場合には、住基情報データベース４２から読み出されたレコードをそのまま出力するようにしてもよい。すなわち、ゲートウェイ装置４０は、自治体端末４１から送信される住基情報をそのまま管理者端末３０に転送してもよい。
【００７２】
＝＝変形例２：自治体による参加資格の判断＝＝
また、本実施形態では、参加希望者の住基情報が管理者端末３０に送られるものとしたが、自治体側において参加希望者の参加資格を判断し、参加資格の有無のみを管理者端末３０に送るようにしてもよい。
【００７３】
この場合、管理者端末３０は、住基情報取得要求に代えて、利用者特定情報を設定した、参加希望者が制限行為能力者または破産者でないことを問い合わせるメッセージ（以下、参加資格問合わせ要求という。）をゲートウェイ装置４０に送信するようにする。ゲートウェイ装置４０は、受信した参加資格問合わせ要求を、住所に対応する自治体端末４１に転送する。自治体端末４１は、ゲートウェイ装置４０からの参加資格問合わせ要求の受信に応じて、利用者特定情報に対応する住基情報を住基情報データベース４２から読み出し、読み出した住基情報をディスプレイやプリンタなどの出力装置に出力し、自治体のオペレータから参加資格情報の入力を受け付ける。自治体端末４１は、受け付けた参加資格情報をゲートウェイ装置４０に応答し、ゲートウェイ装置４０が参加資格情報を管理者端末３０に転送する。この場合には、自治体において参加希望者の参加資格を判断することで、参加希望者の所属する自治体以外で無用に個人情報が開示されないようにすることができる。これにより、参加希望者のプライバシーを尊重することができる。
【００７４】
なお、上述した本実施形態は、公有財産の売却に利用されるものとしたが、これに限らず、各種の財産の売却に、容易に応用することができる。
【００７５】
また、本実施形態の公有財産売却システムでは、ゲートウェイ装置４０を介して自治体端末４１と管理者端末３０とが住基情報をやり取りするものとしたが、管理者端末３０がゲートウェイ装置４０の機能を備えて、参加希望者の住所に応じて、自治体端末４１に住基情報取得要求を送信するようにしてもよい。
【００７６】
また、本実施形態の公有財産売却システムでは、オークションサーバ２０と管理者端末３０とは別のコンピュータであるものとしたが、１台のコンピュータにより運用するようにすることもできる。さらには、オークションサーバ２０、管理者端末３０およびゲートウェイ装置４０の全ての機能を、１台のコンピュータで実現するようにすることも可能である。
【００７７】
また、本実施形態の公有財産売却システムでは、参加希望者端末１０において、参加希望者自身が申込情報を入力するものとしたが、これに限らず、例えば管理者端末３０を操作するオペレータが、参加希望者から電話などにより申込情報の項目を聞き取って、管理者端末３０に入力するようにすることもできる。
【００７８】
また、申込者と参加希望者とが異なる場合には、申込者および参加希望者のそれぞれについて、参加資格を判断するようにしてもよい。
【００７９】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【図面の簡単な説明】
【００８０】
【図１】本実施形態に係る公有財産売却システムの全体構成を示す図である。
【図２】オークションサーバ２０のハードウェア構成を示す図である。
【図３】オークションサーバ２０のソフトウェア構成を示す図である。
【図４】参加希望者情報の構成例を示す図である。
【図５】ブラックリストデータベース２５３の構成例を示す図である。
【図６】ゲートウェイ装置４０のハードウェア構成を示す図である。
【図７】ゲートウェイ装置４０のソフトウェア構成を示す図である。
【図８】管理者端末３０のハードウェア構成を示す図である。
【図９】管理者端末３０のソフトウェア構成を示す図である。
【図１０】申込情報の受付処理の流れを示す図である。
【図１１】申込情報を入力する画面７１の一例を示す図である。
【図１２】参加資格を確認する処理の流れを示す図である。
【図１３】参加希望者を一覧表示する画面７２の一例を示す図である。
【図１４】住基情報に基づく参加可否の判断処理の流れを示す図である。
【符号の説明】
【００８１】
１０  参加希望者端末、２０  オークションサーバ、３０  管理者端末、
４０  ゲートウェイ装置、４１  自治体端末、４２  住基情報データベース、
２０１  ＣＰＵ、２０２  メモリ、２０３  記憶装置、
２０４  通信インタフェース、２０５  通信インタフェース、
２１１  参加希望者情報受信部、２１２  参加希望者取得要求受信部、
２１３  参加希望者情報送信部、２１４  参加資格情報受信部、
２１５  ブラックリスト登録要求受信部、２１６  入札情報受信部、
２１７  入札処理部、２１８  認証処理部、２５１  参加希望者情報データベース、
２５２  出品情報データベース、２５３  ブラックリストデータベース、
３０１  ＣＰＵ、３０２  メモリ、３０３  記憶装置、
３０４  通信インタフェース、３０５  通信インタフェース、
３０６  入力装置、３０７  出力装置、３１１  参加希望者取得要求送信部、
３１２  参加希望者情報受信部、３１３  参加希望者情報表示部、
３１４  参加希望者指定部、３１５  住基情報取得要求送信部、
３１６  住基情報受信部、３１７  参加資格判定部、３１８  参加資格情報送信部、
３１９  ブラックリスト指定部、３２０  ブラックリスト登録要求送信部、
４０１  ＣＰＵ、４０２  メモリ、４０３  記憶装置、
４０４  通信インタフェース、４０５  通信インタフェース、
４１１  住基情報取得要求受信部、４１２  リクエスト送信部、
４１３  住基情報受信部、４１４  住基情報変換部、４１５  住基情報送信部
【図１】
2008181270.tif 000003
【図２】
2008181270.tif 000004
【図３】
2008181270.tif 000005
【図４】
2008181270.tif 000006
【図５】
2008181270.tif 000007
【図６】
2008181270.tif 000008
【図７】
2008181270.tif 000009
【図８】
2008181270.tif 000010
【図９】
2008181270.tif 000011
【図１０】
2008181270.tif 000012
【図１１】
2008181270.tif 000013
【図１２】
2008181270.tif 000014
【図１３】
2008181270.tif 000015
【図１４】
2008181270.tif 000016